(57)【要約】【課題】  本発明は左右の床躯体が不等沈下しても、目地プレートがガタ付くのを効率よく阻止して、安全に使用することができるとともに、厚さ寸法を小さく設定しても、十分な強度が得られる床用目地装置を得るにある。【解決手段】  一方の床躯体の目地部側に反目地部側が傾斜面に形成された目地プレートスライド支持凹部と、この目地プレートスライド支持凹部に先端部が支持され、他端部が他方の床躯体の目地部側の外壁面あるいは、該外壁面に形成された目地プレート支持凹部に先端部が上方へ回動可能に取付けられた目地プレートを備える床用目地装置において、前記目地プレートの底面をほぼＭ字状となるように形成して床用目地装置を構成している。【選択図】  図２
2010265728.tif 000002
【特許請求の範囲】
【請求項１】
一方の床躯体の目地部側に反目地部側が傾斜面に形成された目地プレートスライド支持凹部と、この目地プレートスライド支持凹部に先端部が支持され、他端部が他方の床躯体の目地部側の外壁面あるいは、該外壁面に形成された目地プレート支持凹部に先端部が上方へ回動可能に取付けられた目地プレートを備える床用目地装置において、前記目地プレートの底面をほぼＭ字状となるように形成したことを特徴とする床用目地装置。
【請求項２】
目地プレートはほぼＭ字状の底面板と、この底面板の上面を平坦にする上面板とで構成されていることを特徴とする請求項１記載の床用目地装置。
【請求項３】
目地プレートは両端部が下方へ突出するリップミゾ形鋼形状の上面板と、この上面板の両端部よりの底面に両端部が固定された中央部が下方へ突出する逆山形形状の底面板とで構成されていることを特徴とする請求項１記載の床用目地装置。
【請求項４】
上面板と底面板との間に補強用のモルタルやコンクリートあるいは複数個のリブが設けられていることを特徴とする請求項２、請求項３いずれかに記載の床用目地装置。
【発明の詳細な説明】
【技術分野】
【０００１】
本発明は目地部を介して設けられた左右の床躯体間を覆う床用目地装置に関する。
【背景技術】
【０００２】
従来、この種の床用目地装置は一方の床躯体の目地部側に反目地部が傾斜面の目地プレートスライド支持凹部を形成するとともに、この目地プレートスライド支持凹部と対応する部位の他方の床躯体の目地部側部位に目地プレート支持凹部を形成し、先端部を前記目地プレートスライド支持凹部に支持させ、後端部を前記目地プレート支持凹部に支持させ、先端部が上方へ回動できるように後端部を目地プレート支持凹部に取付けた目地プレートを用いている。
【０００３】
このように構成された床用目地装置は目地部が広くなったり、狭くなったりする地震の揺れ動きは効率よく吸収することができるが、左右の床躯体が不等沈下した場合、目地プレートスライド支持凹部の目地部側端部が目地プレートの中央部寄りの底面と接触して、目地プレートがガタ付き、危険になるという欠点があった。
【０００４】
また、大きな荷重が加わる所に使用される目地プレートは、バー材、アングル材、パイプ材の枠に鉄板をのせて溶接して一体化するため、荷重に対しては枠材の剛性に依存しているため、支点間が大きくなると必然的に皿の厚さが大きくなり、躯体の切り欠きが大きくなり、スラブが割れたりするという欠点があった。
【先行技術文献】
【特許文献】
【０００５】
【特許文献１】特許第３８５４８７２号
【発明の概要】
【発明が解決しようとする課題】
【０００６】
本発明は以上のような従来の欠点に鑑み、左右の床躯体が不等沈下しても、目地プレートがガタ付くのを効率よく阻止して、安全に使用することができるとともに、厚さ寸法を小さく設定しても、十分な強度が得られる床用目地装置を提供することを目的としている。
【０００７】
本発明の前記ならびにそのほかの目的と新規な特徴は次の説明を添付図面と照らし合わせて読むと、より完全に明らかになるであろう。
【０００８】
ただし、図面はもっぱら解説のためのものであって、本発明の技術的範囲を限定するものではない。
【課題を解決するための手段】
【０００９】
上記目的を達成するために、本発明は一方の床躯体の目地部側に反目地部側が傾斜面に形成された目地プレートスライド支持凹部と、この目地プレートスライド支持凹部に先端部が支持され、他端部が他方の床躯体の目地部側の外壁面あるいは、該外壁面に形成された目地プレート支持凹部に先端部が上方へ回動可能に取付けられた目地プレートを備える床用目地装置において、前記目地プレートの底面をほぼＭ字状となるように形成して床用目地装置を構成している。
【発明の効果】
【００１０】
以上の説明から明らかなように、本発明にあっては次に列挙する効果が得られる。
（１）目地プレートの底面をほぼＭ字状となるように形成しているので、左右の床躯体が地震等で不等沈下した場合に、目地プレートスライド支持凹部の目地部側端部と目地プレートが接触するのを効率よく阻止できる。
【００１１】
したがって、目地プレートは先端部と後端部とで支持された状態を保ち、ガタ付くのを防止でき、安全に使用することができる。
（２）前記（１）により、目地プレートの底面をほぼＭ字状となるように形成しているので、十分な強度が得られる構造となり、安価に製造することができ、かつ薄い形状にすることもできる。
（３）前記（１）により、構造が簡単で、安価に製造することができる。
（４）請求項２、３も前記（１）〜（３）と同様な効果が得られる。
（５）請求項４も前記（１）〜（３）と同様な効果が得られるとともに、十分な強度を容易に得ることができる。
【図面の簡単な説明】
【００１２】
【図１】本発明を実施するための第１の形態の平面図。
【図２】図1の２−２線に沿う断面図。
【図３】本発明を実施するための第１の形態の目地プレートの平面図。
【図４】本発明を実施するための第１の形態の目地プレートの正面図。
【図５】本発明を実施するための第１の形態の目地プレートの底面図。
【図６】本発明を実施するための第１の形態の目地部が広くなった動作説明図。
【図７】本発明を実施するための第１の形態の目地部が狭くなった動作説明図。
【図８】本発明を実施するための第１の形態の左右の床躯体が不等沈下した場合の説明図。
【図９】本発明を実施するための第２の形態の平面図。
【図１０】図9の１０−10線に沿う断面図。
【図１１】本発明を実施するための第２の形態の目地プレートの分解説明図。
【図１２】本発明を実施するための第３の形態の平面図。
【図１３】図１２の１３−１３線に沿う断面図。
【図１４】本発明を実施するための第３の形態の目地プレートの分解説明図。
【図１５】本発明を実施するための第4の形態の平面図。
【図１６】図１５の１６−１６線に沿う断面図。
【図１７】本発明を実施するための第4の形態の目地プレートの分解説明図。
【発明を実施するための形態】
【００１３】
以下、図面に示す本発明を実施するための形態により、本発明を詳細に説明する。
【００１４】
図１ないし図８に示す本発明を実施するための第１の形態において、１は目地部２を介して設けられた左右の床躯体３、３間を覆う本発明の床用目地装置で、この床用目地装置１は前記左右の床躯体３、３の一方の床躯体３の目地部側に反目地部側が傾斜面４に形成され、かつ前記目地部２の寸法Ｌとほぼ同じ長さに形成された目地プレートスライド支持凹部５と、この目地プレートスライド支持凹部５の底面とほぼ同一上面となるように、他方の床躯体３の外壁面３ａに複数本のタッピングビス６等によって固定されたアングル状の支持金具７と、この支持金具７に後端部が支持され、先端部が前記目地プレートスライド支持凹部５に支持され、かつ上面が前記左右の床躯体３、３の上面とほぼ同一面となる底面をほぼＭ字状となるように形成された目地プレート８と、この目地プレート８の後端両側部を先端部が上方へ回動できるように取付ける取付具９、９とで構成されている。
【００１５】
前記目地プレート８は金属材製で両端部が下方へＬ字状、逆Ｌ字状に突出する脚部１０、１０を有するほぼＭ字状に形成された底面板１１と、この底面板１１の上面を平坦にする金属材製の上面板１２と、この上面板１２と前記底面板１１との間に所定間隔で設けられた複数個の補強リブ１３、１４、１５と、前記上面板１２の先端部にヒンジ部材１６を介して、先端部が上下方向へ回動するように取付けられたカバープレート１７とで構成されている。
【００１６】
前記取付具９、９は前記目地プレート８の後端部の両側部寄りの部位に対応する前記支持金具７に形成された長孔状のボルト挿入孔１８、１８と、このボルト挿入孔１８、１８へ挿入され、前記目地プレート８の脚部１０に形成されたボルト挿入孔１９、１９と、このボルト挿入孔１９、１９と前記支持金具７のボルト挿入孔１８、１８に挿入されるボルト２０、２０と、このボルト２０、２０の先端部にスプリング２１、２１を介して螺合固定されるナット２２、２２とで構成されている。
【００１７】
上記構成の床用目地装置１は地震により目地部２が広くなったり、狭くなるように揺れ動いた場合には、従来と同様に目地プレート８の先端部が、図６に示すように目地プレートスライド支持凹部５上をスライド移動したり、図７に示すように一方の床躯体３の床面上へ乗り上げて、その揺れ動きを吸収する。
【００１８】
左右の床躯体３、３が地震等によって不等沈下した場合、図８に示すように目地プレート８の先端部の脚部１０だけが目地プレートスライド支持凹部５に接触しているため、目地プレート８の先端部以外の部位は目地プレートスライド支持凹部５との間に隙間があり、該隙間によって、左右の床躯体３、３の不等沈下が生じても、目地プレート８の先端部以外の部分と目地プレートスライド支持凹部５、特に目地部側端部との接触を防止して、目地プレート８上に荷重が加わった時のガタ付きを防止することができる。
【００１９】
また、底面板１１、上面板１２および複数個の補強リブ１３、１４、１５とで目地プレート８が構成されているため、軽量で、薄くしても十分な強度が得られる。
【００２０】
[発明を実施するための異なる形態]
次に、図９ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図９ないし図１１に示す本発明を実施するための第２の形態において、前記本発明を実施するための第１の形態と主に異なる点は、目地プレートスライド支持凹部５と対応する部位の他方の床躯体３の目地部側に、目地プレート８の後端部を支持する目地プレート支持凹部２３を形成し、該目地プレート支持凹部２３に上部が反目地部側へ傾斜する、脚部１０に形成されたボルト挿入孔２４、２４を貫通する係止ピン２５、２５を用いた取付具９Ａ、９Ａを用いるとともに、目地プレート８に左右方向に複数個の補強リブ１３Ａ、１３Ａ、１３Ａを設けた点で、このように構成した床用目地装置１Ａにしても、前記本発明を実施するための第１の形態と同様な作用効果が得られる。
【００２２】
図１２ないし図１４に示す本発明を実施するための第３の形態において、前記本発明を実施するための第１の形態と主に異なる点は、両側部に脚部１０、１０を形成した上面板１２Ａと、この上面板１２Ａの底面に両端部が溶接等で固定された中央部が下方へ突出する逆山形形状の底面板１１Ａと、複数個の補強リブ１３、１４、１５とで形成した目地プレート８Ａを用いた点で、このように形成された目地プレート８Ａを用いて構成した床用目地装置１Ｂにしても、前記本発明を実施するための第１の形態と同様な作用効果が得られる。
【００２３】
図１５ないし図１７に示す本発明を実施するための第４の形態において、前記本発明を実施するための第３の形態と主に異なる点は、上面板１２Ａの脚部１０、１０を補強できるように底面板１１Ｂの両端部に補強用の脚部１０Ａ、１０Ａを形成した目地プレート８Ｂを用いた点で、このような目地プレート８Ｂを用いて構成した床用目地装置１Ｃにしても、前記本発明を実施するための第３の形態と同様な作用効果が得られる。
【００２４】
なお、前記本発明実施するための各形態では複数個の補強リブ１３、１４、１５を用いた目地プレート８、８Ａ、８Ｂを用いるものについて説明したが、本発明はこれに限らず、複数個の補強リブを用いることなく、上面板１２とて面板１１との間にモルタルやコンクリートを充填したものを用いてもよい。
【産業上の利用可能性】
【００２５】
本発明は目地部を介して設けられた左右の床躯体間を覆う床用目地装置を製造する産業で利用される。
【符号の説明】
【００２６】
１、１Ａ、１Ｂ、１Ｃ：床用目地装置、
２：目地部、        ３：床躯体、
４：傾斜面、          
５：目地プレートスライド支持凹部、  
６：タッピングビス、    ７：支持金具、
８、８Ａ、８Ｂ：目地プレート、９、９Ａ：取付具、
１０、１０Ａ：脚部、    １１、１１Ａ：底面板、
１２、１２Ａ：上面板、    １３、１４、１５：補強リブ、
１３Ａ：補強リブ、
１６：ヒンジ部材、      １７：カバープレート、
１８：ボルト挿入孔、    １９：ボルト挿入孔、
２０：ボルト、      ２１：スプリング、
２２：ナット、      ２３：目地プレート支持凹部、
２４：ボルト挿入孔、    ２５：係止ピン。
【図１】
2010265728.tif 000003
【図２】
2010265728.tif 000004
【図３】
2010265728.tif 000005
【図４】
2010265728.tif 000006
【図５】
2010265728.tif 000007
【図６】
2010265728.tif 000008
【図７】
2010265728.tif 000009
【図８】
2010265728.tif 000010
【図９】
2010265728.tif 000011
【図１０】
2010265728.tif 000012
【図１１】
2010265728.tif 000013
【図１２】
2010265728.tif 000014
【図１３】
2010265728.tif 000015
【図１４】
2010265728.tif 000016
【図１５】
2010265728.tif 000017
【図１６】
2010265728.tif 000018
【図１７】
2010265728.tif 000019